(57)【特許請求の範囲】
【請求項１】
上部に第１開口をもつ第１収納箱と、
該第１開口の前方で該第１収納箱に揺動自在に保持され該第１開口を開閉するとともに該第１開口を閉じた状態で上部に開口する第２開口をもつ第２収納箱と、
該第２開口の後方で該第２収納箱に揺動自在に保持され該第２開口を開閉するリッドと、よりなるコンソールボックスであって、
該リッドには、
該リッドに対して一方向に相対移動することで該第２収納箱と係合して該リッドの閉状態を保持し、該一方向と逆方向へ移動することで係合を解除して該リッドの揺動を可能とするロック装置と、
該ロック装置と係合して該ロック装置の該相対移動を規制する規制部材と、が設けられ、
該規制部材は、ボールと、該ボールの水平方向の転動を許容する水平通路と、該水平通路に連通するとともに上向傾斜して延び該リッドが揺動したときに該ボールが転動する規制通路と、を備え、
該ロック装置は該一方向と逆方向へ移動したときに該規制通路に進出する押圧部を備え、
該ボールが該規制通路に移動したときに該ボールが該押圧部に係合して該押圧部の進出を規制することで該ロック装置の該一方向と逆方向への移動を規制することを特徴とするコンソールボックス。
【発明の詳細な説明】
【技術分野】
【０００１】
本発明は、自動車の室内に搭載されるコンソールボックスに関する。
【背景技術】
【０００２】
自動車のコンソールには、物入れとしてコンソールボックスが備えられている。しかし単に一つの箱では収納スペースに無駄が生じるため、特許第 2872686号公報に記載のような二段式のコンソールボックスが知られている。また、さらに収納部を多くするために、特開2003−165388号公報には引出式の収納箱を備えたコンソールボックスが提案されている。
【０００３】
しかしながら特開2003−165388号公報に記載のコンソールボックスでは、引出式の収納箱がボックス本体に出入する構造であるために、ボックス本体の収納スペースが浅くなって大きな物を収納できないという不具合がある。
【特許文献１】特許第 2872686号
【特許文献２】特開2003−165388号
【発明の開示】
【発明が解決しようとする課題】
【０００４】
そこで図10、図11に示すようなコンソールボックスが開発された。このコンソールボックスは、上部に第１開口 101をもつ第１収納箱 100と、第１開口 101の前方で第１収納箱 100に揺動自在に保持され第１開口 101を開閉するとともに第１開口 101を閉じた状態で上部に開口する第２開口 201をもつ第２収納箱 200と、第２開口 201の後方で第２収納箱 200に揺動自在に保持され第２開口 201を開閉するリッド 300と、第１収納箱 100の前方に配置された引出構造の第３収納箱 400と、第３収納箱 400の上部に固定された第４収納箱 500とから構成されている。
【０００５】
このコンソールボックスによれば、第１収納箱 100の深さを深くすることができるので、大きな物を収納することができる。また第１収納箱 100を二段構造とし、下段にコンピュータゲーム機本体を上段にゲームコントローラを収納すれば、第２収納箱 200を前方へ倒した状態でゲームを遊ぶことができる。
【０００６】
そして、さほど大きくない物を収納する場合は、リッド 300を後方へ揺動させて第２開口 201を開くことで、第２収納箱 200に収納することができる。したがって収納すべき物の用途あるいは形状などに応じて第１収納箱 100と第２収納箱 200を区分けして使用することができる。
【０００７】
ところで、上記コンソールボックスには、第２収納箱 200と第１収納箱 100との係脱を可能とする第１ロック装置 102と、リッド 300と第２収納箱 200との係脱を可能とする第２ロック装置 202とが、それぞれ独立して設けられている。すなわち第１収納箱 100を利用する場合には、第１ロック装置 102を操作して第２収納箱 200と第１収納箱 100との係合を解除することで、図13に示すように第２収納箱 200の揺動が可能となる。また第２収納箱 200を利用する場合には、第２ロック装置 202を操作してリッド 300と第２収納箱 200との係合を解除することで、図14に示すようにリッド 300の揺動が可能となる。
【０００８】
ところが第１ロック装置 102と第２ロック装置 202とは独立して設けられているために、第２収納箱 200を揺動させる際に誤って第２ロック装置 202に触れ、リッド 300と第２収納箱 200との係合が解除される場合が想定される。このような場合には、図15に示すように第２収納箱 200が揺動している最中にリッド 300が揺動するために、第２収納箱 200に収納されている物が落下したり、開いたリッド 300と第４収納箱 500との間に指が挟まれたり、リッド 300が第４収納箱 500などに衝突して破損したりする問題が発生する恐れがある。
【０００９】
本発明は上記事情に鑑みてなされたものであり、第２収納箱 200が揺動している際にはリッド 300の揺動を規制することを解決すべき課題とする。
【課題を解決するための手段】
【００１０】
上記課題を解決する本発明のコンソールボックスの特徴は、上部に第１開口をもつ第１収納箱と、第１開口の前方で第１収納箱に揺動自在に保持され第１開口を開閉するとともに第１開口を閉じた状態で上部に開口する第２開口をもつ第２収納箱と、第２開口の後方で第２収納箱に揺動自在に保持され第２開口を開閉するリッドと、よりなるコンソールボックスであって、
リッドには、リッドに対して一方向に相対移動することで第２収納箱と係合してリッドの閉状態を保持し、一方向と逆方向へ移動することで係合を解除してリッドの揺動を可能とするロック装置と、ロック装置と係合してロック装置の相対移動を規制する規制部材と、が設けられ、
規制部材は、ボールと、ボールの水平方向の転動を許容する水平通路と、水平通路に連通するとともに上向傾斜して延びリッドが揺動したときにボールが転動する規制通路と、を備え、ロック装置は一方向と逆方向へ移動したときに規制通路に進出する押圧部を備え、ボールが規制通路に移動したときにボールが押圧部に係合して押圧部の進出を規制することでロック装置の一方向と逆方向への移動を規制することにある。
【発明の効果】
【００１２】
本発明のコンソールボックスによれば、第２収納箱が第１開口を閉じている状態ではボールは水平通路を転動可能であり、ロック装置がリッドに対して相対移動可能となっている。したがってロック装置によるロックを解除することでリッドが揺動可能となり、第２開口を開いて第２収納箱を利用することができる。
【００１３】
一方、第２収納箱を揺動させて第１開口を開く場合には、第２収納箱及びリッドが水平方向に対して傾斜した状態となる。すると、リッド内においてボールが重力により移動して規制通路に位置する。したがって係合部がロック装置と係合してロック装置の相対移動を規制するため、ロック装置のロックを解除することが困難となり、誤ってリッドが揺動可能となることが無い。これにより第２収納箱に収納されている物が落下したり、開いたリッドと第１収納箱との間に指が挟まれたり、リッドが他の部位に衝突して破損したりするような問題を未然に防止することができる。
【発明を実施するための最良の形態】
【００１４】
本発明にいう前部（前方）及び後部（後方）とは相対的な位置関係をいい、自動車の進行方向側を前部（前方）とすればその反対側が後部（後方）となり、進行方向と逆方向側を前部（前方）とすれば進行方向側が後部（後方）となる。
【００１５】
本発明のコンソールボックスは、上部に第１開口をもつ第１収納箱と、上部に第２開口をもち第１開口を開閉する第２収納箱と、第２開口を開閉するリッドと、から構成される。第２収納箱が第１開口を開閉する方向と、リッドが第２開口を開閉する方向とは、互いに逆方向となっている。
【００１６】
少なくともリッドには、第２収納箱と係合してリッドの閉状態を保持するロック装置が設けられている。このロック装置は、リッドに対して一方向に相対移動することで第２収納箱と係合してリッドの閉状態を保持し、一方向と逆方向へ移動することで係合を解除してリッドの揺動を可能とするものであり、係合構造としては凹凸係合、爪係合など公知の係合構造を採用することができる。
【００１７】
リッドには、ロック装置と係合してロック装置のリッドに対する相対移動を規制する規制部材がさらに設けられている。この規制部材は、ボールと、ボールの水平方向の転動を許容する水平通路と、水平通路に連通するとともに上向傾斜して延びリッドが揺動したときにボールが転動する規制通路と、を備え、ロック装置は一方向と逆方向へ移動したときに規制通路に進出する押圧部を備え、ボールが規制通路に移動したときにボールが押圧部に係合して押圧部の進出を規制することでロック装置の一方向と逆方向への移動を規制する。
【００１８】
第２収納箱が第１開口を閉じかつリッドが第２開口を閉じている状態では、水平通路は水平状態にある。したがってボールは水平通路内を転動自在であり、ロック装置のリッドに対する相対移動は何ら規制されない。したがってロック装置を操作して第２開口の開閉を自由に行うことができる。
【００１９】
一方、第２収納箱を揺動させる場合には、第２収納箱と共にリッドが水平方向に対して傾斜する。するとボールは重力によって転動して水平通路から規制通路に進入し、ボールが押圧部と係合してロック装置の相対移動が規制される。したがってロック装置の係合を解除することが困難となり、第２収納箱に対するリッドの揺動を不能とすることができる。
【実施例】
【００２２】
以下、本発明を具体化した実施例のコンソールボックスを図面を参照しながら説明する。なお以下の記載において、自動車の進行方向側を前側（前方）として説明する。
【００２３】
図１〜図６に示す本実施例のコンソールボックスは、第１収納箱１と、第２収納箱２と、リッド３と、ロア部材４と、ロア部材４から出入される引出し状の第３収納箱５と、ロア部材４の上部に固定された第４収納箱６と、を備えている。
【００２４】
第１収納箱１はボックス本体ともいうべき主たる構成要素であり、上部に第１開口10を備え、その高さのほぼ全体が収納空間となっている。第１開口10の前端部には、第２収納箱２が揺動自在に保持されている。第１収納箱１は、車体フロアに固定されている。
【００２５】
第２収納箱２は比較的浅い収納空間をもち、その底部で第１開口10を開閉するとともに、第１開口10を閉じた状態で上部に開口する第２開口20をもつ。第１開口10を閉じた状態で第２開口20の後端には、第２開口20を開閉するリッド３が揺動自在に枢支されている。すなわち第２収納箱２は前側へ揺動して第１開口10を開くのに対し、リッド３は後側へ揺動して第２開口20を開く。前側に揺動した第２収納箱２は、リッド３が第４収納箱５に当接し第４収納箱５で支持される。
【００２６】
第１収納箱１の前方には、ロア部材４が配置されている。ロア部材４は、図５に示すように後端がクリップ40にて第１収納箱１と一体的に連結され、前端が第１収納箱１から延びる取付部11に図示しないビスにて固定され、さらに図６に示すようにビス41にて車体フロアに固定されている。このロア部材４は、左右両側面と後面のみが板状をなし、他の面は枠体のみで開口となっている。ロア部材４の左右両側面の内側には、それぞれ水平に延びるガイド突条42が形成されている。
【００２７】
ロア部材４には、上部に第３開口50をもつ引出し形状の第３収納箱５が前側開口から出入自在に配置されている。第３収納箱５の左右両側部の外側表面には、上下一対のガイドレール51が形成されている。このガイドレール51は、第３収納箱５の底面及び上面に対して後部ほど上方へ傾斜する形状に形成されている。ガイドレール51はロア部材４のガイド突条42に摺動自在に係合している。したがって第３収納箱５は底面及び上面が後方へ向かうにつれて下降するようにロア部材４内に傾斜して配置され、ガイド突条42によって案内されることで後方が下方へ傾斜した状態でロア部材４の前側開口から出入自在となっている。
【００２８】
ロア部材４の上部には、上部に開口する第４開口60をもち外底面でロア部材４の上部開口を覆う第４収納箱６が固定されている。この第４収納箱６はカップホルダであり、図５に示すように後端がクリップ61にて第１収納箱１と一体的に連結され、前端が第１収納箱１から延びる取付部11に図示しないビスにて固定されている。
【００２９】
第４収納箱６の外底面には、前後方向及び左右方向に延びる複数本のリブ62が互いに交差して形成されている。このリブ62は、図６に示すように大部分がロア部材４の上部開口に入り込むように突出している。またロア部材４の左右側壁からは上部に縦壁43が突出し、最外部の横リブ63が縦壁43に２mmの間隔を隔てて対向している。
【００３０】
図７〜９に示すように、リッド３の前端には規制部材30が固定され、規制部材30にはロック部材31が前後方向に出入可能に保持されている。規制部材30及びロック部材31は、それぞれ車両の左右方向に長く形成されている。長手方向中央部において、図９に示すように規制部材30にボス32が形成され、ロック部材31にはボス32に出入可能なピン部33が形成され、ボス32とピン部33との間にはスプリング７が介在している。またロック部材31の下端には、第２収納箱２に形成された係合凸部21と係合する爪部34が形成されている。
【００３１】
スプリング７はロック部材31をリッド３の前方へ付勢し、これにより爪部34が係合凸部21と係合することで、リッド３が第２収納箱２にロックされている。そしてスプリング７の付勢力に抗してロック部材31を押圧すると、爪部34と係合凸部21との係合が外れ、第２収納箱２に対するリッド３の揺動が可能となる。
【００３２】
規制部材30の長手方向両端には、図７に示すように前後方向に延びる水平な水平通路35と、水平通路35の前端に連通し前方へ向かって上向傾斜して延びる規制通路36とがそれぞれ形成され、ボール８が水平通路35及び規制通路36内を転動可能にそれぞれ配置されている。
【００３３】
またロック部材31には水平通路35内を移動可能な第１押圧部37と、規制通路36の上端に向かって出入する第２押圧部38とが形成されている。
【００３４】
本実施例のコンソールボックスでは、第２収納箱２を使用する際には、リッド３の前端部に設けられたロック部材31を後方へ押圧する。すると爪部34と係合凸部21との係合が外れ、第２収納箱２に対するリッド３の揺動が可能となる。したがって図３に示すようにリッド３を後方へ揺動させ、第２開口20を開いて第２収納箱２を使用することができる。また第１収納箱１を使用する際には、第２収納箱２の後端部に設けられたノブ23を操作してロック装置を解除し、図４に示すようにリッド３と共に第２収納箱２を前方へ揺動させて第１開口10を開く。第３収納箱５を使用する際には前端部に設けられたノブ52を操作して図示しないロック装置を解除し、ロア部材４から第３収納箱５を引き出す。
【００３５】
リッド３の前端部に設けられたロック部材31を後方へ押圧すると、第１押圧部37が水平通路35内を移動しようとする。水平通路35内にはボール８が存在しているものの、ボール８は水平通路35内を転動可能である。したがって第１押圧部37がボール８を押圧することでボール８は水平通路35内を後方へ転動し、爪部34と係合凸部21との係合が外れてリッド３の揺動が可能となる。
【００３６】
一方、図８に示すように第２収納箱２が前方へ揺動して第１開口10を開いた状態では、ボール８は重力によって水平通路35を転動して規制通路36に入り、規制通路36の端部に位置している。したがってロック部材31を押圧すると、第２押圧部38の先端がボール８に当接するとともにボール８は規制通路36の壁に当接するため、ロック部材31の移動が規制される。これによりロック部材31を押圧することが困難となり、リッド３を揺動することが困難となる。
【００３７】
すなわち本実施例のコンソールボックスによれば、第２収納箱２が前方へ揺動して第１開口10を開いた状態ではリッド３の揺動が困難となる。したがって第２収納箱２に収納されている物が落下したり、開いたリッド３と第４収納箱６との間に指が挟まれたり、リッド３が他の部位に衝突して破損したりするような問題を未然に防止することができる。
【図面の簡単な説明】
【００３８】
【図１】本発明の一実施例に係るコンソールボックスを示す斜視図である。
【図２】本発明の一実施例に係るコンソールボックスを、第３収納箱５を開いた状態で示す斜視図である。
【図３】本発明の一実施例に係るコンソールボックスを、リッド３を開いた状態で示す斜視図である。
【図４】本発明の一実施例に係るコンソールボックスを、第１収納箱１を開いた状態で示す斜視図である。
【図５】本発明の一実施例に係るコンソールボックスの要部断面図である。
【図６】本発明の一実施例に係るコンソールボックスの要部断面図である。
【図７】本発明の一実施例に係るコンソールボックスの要部断面図である。
【図８】本発明の一実施例に係るコンソールボックスの要部断面図である。
【図９】本発明の一実施例に係るコンソールボックスの要部断面図である。
【図１０】本発明に至る前段階で検討されたコンソールボックスを、リッドを開いた状態で示す斜視図である。
【図１１】本発明に至る前段階で検討されたコンソールボックスを第１収納箱を開いた状態で示す斜視図である。
【図１２】本発明に至る前段階で検討されたコンソールボックスの概略側面図である。
【図１３】本発明に至る前段階で検討されたコンソールボックスの概略側面図である。
【図１４】本発明に至る前段階で検討されたコンソールボックスの概略側面図である。
【図１５】本発明に至る前段階で検討されたコンソールボックスの概略側面図である。
【符号の説明】
【００３９】
１：第１収納箱      ２：第２収納箱        ３：リッド
４：ロア部材        ５：第３収納箱        ６：第４収納箱
７：スプリング      ８ボール（転動部材）
【図１】
0004816242.tif 000002
【図２】
0004816242.tif 000003
【図３】
0004816242.tif 000004
【図４】
0004816242.tif 000005
【図５】
0004816242.tif 000006
【図６】
0004816242.tif 000007
【図７】
0004816242.tif 000008
【図８】
0004816242.tif 000009
【図９】
0004816242.tif 000010
【図１０】
0004816242.tif 000011
【図１１】
0004816242.tif 000012
【図１２】
0004816242.tif 000013
【図１３】
0004816242.tif 000014
【図１４】
0004816242.tif 000015
【図１５】
0004816242.tif 000016